(57)【要約】【課題】  排熱を放熱手段にて加熱対象を加熱するための熱として優先して用いることを可能にしながら、排熱回収効率を向上し得る排熱利用熱源装置を提供する。【解決手段】  排熱熱源加熱手段１４からの湯水を加熱用熱交換器１１を通過させた後、貯湯タンク５を迂回させて貯湯用循環路１２の排熱熱源加熱手段１４よりも上流側に戻す加熱用流路１５と、湯水を加熱用流路１５に通流させる加熱状態と通流させない非加熱状態とに切り換える加熱切換手段１６と、加熱用熱交換器１１を通過した湯水を貯湯タンク５の上部に供給するタンク供給路１７と、加熱用熱交換器１１を通過した湯水をタンク供給路１７と加熱用流路１５とに分流させる分流比を調節する分流量調節手段１８が設けられ、制御手段２０は、放熱手段Ｗの運転中は、加熱切換手段１６を加熱状態し且つ排熱熱源加熱手段１４に戻す湯水の温度が設定湯水戻し温度になるように分流量調節手段１８を制御する。【選択図】        図２
2005055033.tif 000002
【特許請求の範囲】
【請求項１】
給湯路がタンク上部に、給水路がタンク底部に夫々接続された密閉型の貯湯タンクと、
加熱用熱交換器と放熱用端末器とにわたって熱媒を循環させて、前記放熱用端末器にて加熱対象を加熱する放熱運転を実行する放熱手段と、
タンク底部から取り出した湯水をタンク上部に戻す形態で貯湯用循環路を通じて前記貯湯タンクの湯水を循環させる貯湯用循環手段、及び、前記貯湯用循環路を通流する湯水を排熱発生式の処理装置から発生する熱にて加熱する排熱熱源加熱手段を備えた排熱利用加熱部と、
前記排熱熱源加熱手段にて加熱されて前記貯湯用循環路を通流する湯水を前記加熱用熱交換器を通過させた後、前記貯湯タンクを迂回させて前記貯湯用循環路における前記排熱熱源加熱手段よりも上流側に戻す形態で通流させる加熱用流路と、
湯水を前記加熱用流路に通流させる加熱状態と通流させない非加熱状態とに切り換え自在な加熱切換手段と、
前記放熱手段の停止中は前記非加熱状態になり、前記放熱手段の運転中は前記加熱状態になるように、前記加熱切換手段の作動を制御する制御手段とが設けられた排熱利用熱源装置であって、
前記加熱用熱交換器を通過して前記加熱用流路を通流する湯水を前記貯湯タンクの上部に供給するタンク供給路と、
前記加熱用熱交換器を通過した湯水を前記タンク供給路と前記加熱用流路とに分流させる分流比を調節自在な分流量調節手段とが設けられ、
前記制御手段は、前記放熱手段の運転中は、前記排熱熱源加熱手段に戻す湯水の温度が設定湯水戻し温度になるように前記分流比を調節すべく前記分流量調節手段を制御するように構成されている排熱利用熱源装置。
【請求項２】
前記制御手段は、前記放熱手段の運転が開始されると、前記加熱用流路への分流量が最少の状態から、前記排熱熱源加熱手段に戻す湯水の温度が前記設定湯水戻し温度になるまで前記加熱用流路への分流量を増加させるべく前記分流量調節手段を制御するように構成されている請求項１記載の排熱利用熱源装置。
【請求項３】
前記排熱利用加熱部は、前記排熱熱源加熱手段にて加熱される湯水の温度が設定湯水供給温度になるように前記貯湯用循環手段による湯水循環量が調節されるように構成されている請求項１又は２記載の排熱利用熱源装置。
【発明の詳細な説明】
【技術分野】
【０００１】
本発明は、給湯路がタンク上部に、給水路がタンク底部に夫々接続された密閉型の貯湯タンクと、
加熱用熱交換器と放熱用端末器とにわたって熱媒を循環させて、前記放熱用端末器にて加熱対象を加熱する放熱運転を実行する放熱手段と、
タンク底部から取り出した湯水をタンク上部に戻す形態で貯湯用循環路を通じて前記貯湯タンクの湯水を循環させる貯湯用循環手段、及び、前記貯湯用循環路を通流する湯水を排熱発生式の処理装置から発生する熱にて加熱する排熱熱源加熱手段を備えた排熱利用加熱部と、
前記排熱熱源加熱手段にて加熱されて前記貯湯用循環路を通流する湯水を前記加熱用熱交換器を通過させた後、前記貯湯タンクを迂回させて前記貯湯用循環路における前記排熱熱源加熱手段よりも上流側に戻す形態で通流させる加熱用流路と、
湯水を前記加熱用流路に通流させる加熱状態と通流させない非加熱状態とに切り換え自在な加熱切換手段と、
前記放熱手段の停止中は前記非加熱状態になり、前記放熱手段の運転中は前記加熱状態になるように、前記加熱切換手段の作動を制御する制御手段とが設けられた排熱利用熱源装置に関する。
【背景技術】
【０００２】
かかる排熱利用熱源装置は、排熱発生式の処理装置から発生する熱（以下、単に処理装置の排熱と記載する場合がある）を用いて、貯湯タンクに温度成層を形成する状態で貯湯したり、放熱手段により加熱対象を加熱するものであり、前記処理装置としては、例えば、燃料電池や、発電機とその発電機を駆動するエンジンとを備えた回転式の発電装置等があり、前記放熱手段としては、加熱対象としての暖房対象域を前記放熱用端末器にて暖房する暖房装置等がある。
そして、このような排熱利用熱源装置では、放熱手段にて加熱対象を加熱するときの単位時間当たりの加熱負荷が比較的大きいことから、放熱手段の運転中は、前記処理装置の排熱を放熱手段による加熱対象の加熱用として優先して用いるようにすることが好ましい。
【０００３】
そこで、従来では、前記制御手段を、前記放熱手段の停止中は前記非加熱状態になり、前記放熱手段の運転中は湯水の全量を前記加熱用流路に通流させる前記加熱状態になるように、前記加熱切換手段の作動を制御するように構成していた。
つまり、前記放熱手段の運転中は、前記排熱熱源加熱手段にて加熱されて前記貯湯用循環路を通流する湯水の全量を前記加熱用熱交換器に供給し、その加熱用熱交換器を通過した湯水の全量を前記貯湯タンクを迂回させて前記貯湯用循環路における前記排熱熱源加熱手段よりも上流側に戻す形態にて、湯水を前記排熱熱源加熱手段と前記加熱用熱交換器とにわたって、前記貯湯用循環路と前記加熱用流路とを通じて循環させるようにして、前記排熱熱源加熱手段にて加熱された湯水の全量を前記加熱用熱交換器に供給することにより、前記処理装置の排熱を前記放熱手段による加熱対象の加熱用として優先して用いるようになっていた（例えば、特許文献１参照。）。
【０００４】
【特許文献１】特開２００１−２４８９０５号公報
【発明の開示】
【発明が解決しようとする課題】
【０００５】
しかしながら、従来では、前記放熱手段の運転中において、前記処理装置の排熱の全てを前記放熱手段による加熱対象の加熱用として優先して用いることができるものの、以下に説明するように、前記処理装置の排熱を前記排熱熱源加熱手段にて回収する排熱回収効率が低くなるという問題があった。
【０００６】
即ち、前記排熱熱源加熱手段において前記処理装置の排熱を湯水に回収させることにより、前記処理装置を適正に冷却して、前記処理装置を適正に運転させるようになっているが、前記排熱熱源加熱手段での排熱回収により前記処理装置を適正に冷却することができない場合は、前記処理装置に備えさせているラジエータ等により、前記処理装置の排熱を放熱させることになる。
又、前記加熱用熱交換器において、前記排熱熱源加熱手段にて加熱された湯水と熱交換させる対象となる熱媒は、前記加熱用熱交換器と前記放熱用端末器とにわたって循環しているものであって、前記放熱用端末器にて放熱されて前記加熱用熱交換器に戻ってくるにしてもその温度は低くなり難いので、その熱媒と熱交換させた後の前記湯水の温度も低くなり難いという傾向がある。念のため、前記加熱用熱交換器に戻ってくる熱媒の温度が低くなり難い点について説明を加えると、上述したように、通常は、前記放熱用端末器にて暖房対象域を暖房するものであり、前記放熱用端末器には６０〜７０°Ｃ程度に加熱した熱媒を供給するようになっており、その熱媒を前記放熱用端末器にて暖房対象域に放熱させたとしても、前記加熱用熱交換器に戻ってくる熱媒の温度は低くてもせいぜい４０°Ｃ程度であるので、前記加熱用熱交換器に戻ってくる熱媒の温度が低くなり難いものである。
【０００７】
従って、従来では、前記加熱用熱交換器において前記熱媒と熱交換させた後の湯水の全量を、前記貯湯タンクを迂回させて前記排熱熱源加熱手段に戻すので、前記排熱熱源加熱手段に戻す湯水の温度が高くなり易く、その湯水に前記処理装置の排熱を回収するに当たって、その排熱回収効率が低くなるばかりでなく、前記排熱熱源加熱手段に戻す湯水の温度が高くなり過ぎて、前記処理装置を適切に運転させることが可能なように冷却することができるまで、前記排熱熱源加熱手段において前記処理装置の排熱を回収することができなくなるので、前記ラジエータ等により、前記処理装置の排熱を放熱することになり、このことによっても、排熱回収効率が低くなるのである。
【０００８】
ちなみに、前記排熱熱源加熱手段に戻す湯水の温度が低くなるようにして、排熱回収効率を向上するために、前記加熱切換手段にて前記加熱状態に切り換えるに当たって、前記排熱熱源加熱手段にて加熱された湯水を前記加熱用熱交換器側と前記貯湯タンク側とに分流させる状態となるようにし、前記加熱用熱交換器を通過した湯水と前記貯湯タンクの底部から取り出された湯水とを混合させて、前記排熱熱源加熱手段に戻すようにして、その排熱熱源加熱手段に戻す湯水の温度を低くすることが想定される。
しかしながら、この場合は、前記排熱熱源加熱手段にて加熱された湯水の一部が前記加熱用熱交換器を迂回して前記貯湯タンクに供給されるので、前記処理装置の排熱の全てを放熱手段にて加熱対象を加熱するための熱として優先して用いることができない。
通常、前記処理装置の排熱の熱量が放熱手段にて加熱対象を加熱する加熱負荷よりも不足するときにその不足分を補うために、補助加熱器を設けるが、上述のように、前記処理装置の排熱の全てを放熱手段にて加熱対象を加熱するための熱として優先して用いることができない場合には、前記補助加熱器にて補う熱量が多くなって、総合エネルギー効率が低下し易い。
【０００９】
本発明は、かかる実情に鑑みてなされたものであり、その目的は、排熱を放熱手段にて加熱対象を加熱するための熱として優先して用いることを可能にしながら、排熱回収効率を向上し得る排熱利用熱源装置を提供することにある。
【課題を解決するための手段】
【００１０】
本願発明の排熱利用熱源装置は、給湯路がタンク上部に、給水路がタンク底部に夫々接続された密閉型の貯湯タンクと、
加熱用熱交換器と放熱用端末器とにわたって熱媒を循環させて、前記放熱用端末器にて加熱対象を加熱する放熱運転を実行する放熱手段と、
タンク底部から取り出した湯水をタンク上部に戻す形態で貯湯用循環路を通じて前記貯湯タンクの湯水を循環させる貯湯用循環手段、及び、前記貯湯用循環路を通流する湯水を排熱発生式の処理装置から発生する熱にて加熱する排熱熱源加熱手段を備えた排熱利用加熱部と、
前記排熱熱源加熱手段にて加熱されて前記貯湯用循環路を通流する湯水を前記加熱用熱交換器を通過させた後、前記貯湯タンクを迂回させて前記貯湯用循環路における前記排熱熱源加熱手段よりも上流側に戻す形態で通流させる加熱用流路と、
湯水を前記加熱用流路に通流させる加熱状態と通流させない非加熱状態とに切り換え自在な加熱切換手段と、
前記放熱手段の停止中は前記非加熱状態になり、前記放熱手段の運転中は前記加熱状態になるように、前記加熱切換手段の作動を制御する制御手段とが設けられたものであって、
第１特徴構成は、前記加熱用熱交換器を通過して前記加熱用流路を通流する湯水を前記貯湯タンクの上部に供給するタンク供給路と、
前記加熱用熱交換器を通過した湯水を前記タンク供給路と前記加熱用流路とに分流させる分流比を調節自在な分流量調節手段とが設けられ、
前記制御手段は、前記放熱手段の運転中は、前記排熱熱源加熱手段に戻す湯水の温度が設定湯水戻し温度になるように前記分流比を調節すべく前記分流量調節手段を制御するように構成されている点を特徴とする。
即ち、前記放熱手段の運転中は、前記制御手段により、前記排熱熱源加熱手段に戻す湯水の温度が前記設定湯水戻し温度になるように前記分流量調節手段の分流比が調節されて、前記加熱用熱交換器を通過した湯水が前記タンク供給路と前記加熱用流路とに分流される。
【００１１】
つまり、前記放熱手段の運転中は、前記排熱熱源加熱手段にて加熱された湯水の全量が前記加熱用熱交換器を通過し、その加熱用熱交換器を通過した湯水が前記分流量調節手段にて前記タンク供給路と前記加熱用流路とに分流されて、前記タンク供給路を通じて前記貯湯タンクの上部に戻され、且つ、前記加熱用流路を通じて前記貯湯タンクを迂回して前記貯湯用循環路における前記排熱熱源加熱手段よりも上流側に戻され、その加熱用流路を通じて貯湯用循環路における前記排熱熱源加熱手段よりも上流側に戻された湯水と、前記貯湯タンクの底部から取り出された湯水とが合流して、前記貯湯用循環路を通じて前記排熱熱源加熱手段に戻される形態で、湯水が前記貯湯用循環路、前記加熱用流路、前記タンク供給路を通じて循環する。
そして、前記排熱熱源加熱手段にて加熱された湯水の全量を前記加熱用熱交換器に供給するので、前記処理装置の排熱の全てを放熱手段による加熱対象の加熱用として優先して用いることが可能になり、このように、前記処理装置の排熱の全てを放熱手段による加熱対象の加熱用として優先して用いることを可能にしながら、前記加熱用熱交換器を通過した湯水を前記分流量調節手段にて前記タンク供給路と前記加熱用流路とに分流して、前記加熱用流路を通じて前記貯湯タンクを迂回させて前記貯湯用循環路における前記排熱熱源加熱手段よりも上流側に戻す湯水に、前記貯湯タンクの底部から取り出した低温の湯水を合流させて、前記排熱熱源加熱手段に戻すようにするので、その排熱熱源加熱手段に戻す湯水の温度を低くすることが可能となり、排熱回収効率を向上することが可能となる。
又、前記設定湯水戻し温度として、前記処理装置を適切に運転させることが可能なように冷却することができるまで、前記排熱熱源加熱手段において前記処理装置の排熱を回収可能な湯水の温度に設定することにより、その設定湯水戻し温度の湯水を前記排熱熱源加熱手段に戻すようにして、その排熱熱源加熱手段において前記処理装置の排熱を十分に回収して前記処理装置を適正に冷却することができるので、前記処理装置に備えさせているラジエータ等により前記処理装置の排熱を放熱させるのを抑制することが可能になり、このことによっても、排熱回収効率を向上することが可能となる。
従って、排熱を放熱手段にて加熱対象を加熱するための熱として優先して用いることを可能にしながら、排熱回収効率を向上し得る排熱利用熱源装置を提供することができるようになった。
【００１２】
第２特徴構成は、上記第１特徴構成に加えて、
前記制御手段は、前記放熱手段の運転が開始されると、前記加熱用流路への分流量が最少の状態から、前記排熱熱源加熱手段に戻す湯水の温度が前記設定湯水戻し温度になるまで前記加熱用流路への分流量を増加させるべく前記分流量調節手段を制御するように構成されている点を特徴とする。
即ち、前記放熱手段の運転が開始されると、前記制御手段により、前記加熱用流路への分流量が最少の状態から、前記排熱熱源加熱手段に戻す湯水の温度が前記設定湯水戻し温度になるまで前記加熱用流路への分流量を増加させるべく、前記分流量調節手段が制御される。
【００１３】
つまり、前記放熱手段の運転が開始されると、それが開始される前の前記放熱手段が停止しているときの、前記貯湯タンクの底部から取り出された低温の湯水のみが前記排熱熱源加熱手段に戻される状態から、前記加熱用熱交換器を通過した湯水と前記貯湯タンクの底部から取り出された低温の湯水とが混合した湯水が前記排熱熱源加熱手段に戻される状態に切り換えられるのであるが、前記放熱手段の運転が開始されると、前記加熱用熱交換器を通過して前記排熱熱源加熱手段に戻される湯水の量を最少の状態から増加させ、それに伴って、前記貯湯タンクの底部から取り出されて前記排熱熱源加熱手段に戻される湯水の量を減少させるようにするので、前記排熱熱源加熱手段に戻される湯水の温度の上昇が速くなり過ぎるのを抑制することが可能になる。
そして、前記排熱熱源加熱手段に戻される湯水の温度の上昇が速くなり過ぎるのを抑制することが可能になることにより、前記排熱熱源加熱手段に戻される湯水の温度が急激に高くなって、前記処理装置の運転が不安定になるのを回避することが可能になる。
従って、処理装置の安定運転を維持しながら、放熱手段の運転を開始することができる。
【００１４】
第３特徴構成は、上記第１又は第２特徴構成に加えて、
前記排熱利用加熱部は、前記排熱熱源加熱手段にて加熱される湯水の温度が設定湯水供給温度になるように前記貯湯用循環手段による湯水循環量が調節されるように構成されている点を特徴とする。
即ち、前記排熱熱源加熱手段にて加熱される湯水の温度が前記設定湯水供給温度になるように、前記貯湯用循環手段による湯水循環量が調節される。
【００１５】
つまり、前記処理装置として、出力を変更調節可能なように構成した場合に、前記処理装置を出力を変更調節して運転すると、その排熱量が変化することになるが、上述のように、前記排熱熱源加熱手段にて加熱される湯水の温度が設定湯水供給温度になるように、前記貯湯用循環手段による湯水循環量が調節されるので、排熱量が変化しても、前記貯湯タンクの上部に供給される湯水の温度、及び、前記加熱用熱交換器に供給される湯水の温度を安定化することが可能になる。
そして、前記貯湯タンクの上部に供給される湯水の温度が安定化されることにより、前記貯湯タンクの貯湯温度、延いては、その貯湯タンクの湯水を給湯箇所に給湯する給湯温度を安定化することが可能になる。
又、前記加熱用熱交換器に供給される湯水の温度が安定化されることにより、前記排熱熱源加熱手段に戻す湯水の温度が前記設定湯水戻し温度になるように前記分流量調節手段を作動させるに当たって、前記排熱熱源加熱手段に戻す湯水の温度を安定化させることが可能になり、前記処理装置の運転状態を安定に維持することが可能になる。
従って、処理装置をその出力を変更調節して運転させる場合に、給湯温度を安定化させ、且つ、処理装置の運転状態を安定に維持することが可能になる。
【発明を実施するための最良の形態】
【００１６】
以下、図面に基づいて、本発明にかかる排熱利用熱源装置をコージェネレーションシステムに適用した場合の実施形態を説明する。
図１は、本発明にかかる排熱利用熱源装置Ａを備えたコージェネレーションシステムを示し、このコージェネレーションシステムは、前記排熱利用熱源装置Ａの他に、排熱発生式の処理装置の一例としての燃料電池Ｇ、及び、その燃料電池Ｇを商用電源１に系統連系するインバータ２等を備え、前記排熱利用熱源装置Ａは、前記燃料電池Ｇにて発生する熱を用いて、給湯路３がタンク上部に、給水路４がタンク底部に夫々接続された密閉型の貯湯タンク５内に温度成層を形成しながら貯湯したり、放熱用端末器６にて加熱対象を加熱したりするように構成してあり、前記貯湯タンク５内に貯湯される湯水は前記給湯路３を通じて給湯箇所に給湯するようになっている。ちなみに、前記放熱用端末器６としては、例えば床暖房パネル等があり、その場合は、前記床暖房パネルにて加熱対象としての暖房対象域を暖房することになる。
【００１７】
前記商用電源１は、商用電力供給ライン７を介して、テレビ、冷蔵庫、洗濯機等の電力消費機器８に接続してある。
前記インバータ２は、前記燃料電池Ｇの出力電力を商用電源１から供給される電力と同じ電圧および同じ周波数に変換するように構成してあり、コージェネ用供給ライン９を介して前記商用電力供給ライン７に電気的に接続して、前記燃料電池Ｇの発電電力が前記インバータ２にて交流に変換されて、前記コージェネ用供給ライン９、前記商用電力供給ライン７を介して前記電力消費機器８に供給されるように構成してある。
【００１８】
図１に基づいて、前記排熱利用熱源装置Ａについて説明を加える。
前記排熱利用熱源装置Ａは、前記貯湯タンク５と、加熱用熱交換器１１と前記放熱用端末器６とにわたって熱媒を循環させて、前記放熱用端末器６にて加熱対象を加熱する放熱運転を実行する放熱手段としての放熱部Ｗと、タンク底部から取り出した湯水をタンク上部に戻す形態で貯湯用循環路１２を通じて前記貯湯タンク５の湯水を循環させる貯湯用循環手段としての貯湯用循環ポンプ１３、及び、前記貯湯用循環路１２を通流する湯水を前記燃料電池Ｇから発生する熱にて加熱する排熱熱源加熱手段としての排熱熱源熱交換器１４を備えた排熱利用加熱部Ｈと、前記排熱熱源熱交換器１４にて加熱されて前記貯湯用循環路１２を通流する湯水を前記加熱用熱交換器１１を通過させた後、前記貯湯タンク５を迂回させて前記貯湯用循環路１２における前記排熱熱源熱交換器１４よりも上流側に戻す形態で通流させる加熱用流路１５と、前記排熱熱源熱交換器１４にて加熱された湯水を前記加熱用流路１５に通流させる加熱状態と通流させない非加熱状態とに切り換え自在な加熱切換手段としての加熱切換三方弁１６と、前記加熱用熱交換器１１を通過して前記加熱用流路１５を通流する湯水を前記貯湯タンク５の上部に供給するタンク供給路１７と、前記加熱用熱交換器１１を通過した湯水を前記タンク供給路１７と前記加熱用流路１５とに分流させる分流比を調節自在な分流量調節手段としての分流量調節三方弁１８と、前記給湯路３を通流する湯水及び前記放熱部Ｗを循環する熱媒を加熱するガス燃焼式の補助加熱器１９と、前記排熱利用熱源装置Ａの各種制御を司る制御手段としての熱源制御部２０等を備えて構成してある。
【００１９】
以下、前記排熱利用熱源装置Ａの各部について説明を加える。
前述したように、前記貯湯タンク５は密閉式に構成し、そのタンク底部に水道圧にて水道水を給水する前記給水路４を接続してあり、図示しない給湯栓の開栓等により前記給湯路３を通じて前記貯湯タンク５の上部から湯水が排出されるのに伴って、前記給水路４を通じて前記貯湯タンク５の底部に給水されるようになっていて、前記貯湯タンク５には、温度成層が形成される状態で満杯状態に湯水が貯留されるように構成してある。
前記貯湯タンク５には、その貯湯タンク５の貯湯量の検出用として、４個の貯湯量検出用温度センサＴｔを上下方向に間隔を隔てて設けてある。つまり、前記貯湯量検出用温度センサＴｔが貯湯用設定温度（例えば６０°Ｃ）以上の温度を検出することにより、その設置位置に湯が貯湯されているとして、検出温度が前記貯湯用設定温度以上である貯湯量検出用温度センサＴｔのうちの最下部の貯湯量検出用温度センサＴｔの位置に基づいて、貯湯量を４段階に検出するように構成してある。つまり、４個の貯湯量検出用温度センサＴｔ全ての検出温度が前記貯湯用設定温度以上になると、前記貯湯タンク５の貯湯量が上限貯湯量であることが検出され、４個の貯湯量検出用温度センサＴｔ全ての検出温度が前記設定温度未満になると、前記貯湯タンク５の貯湯量が空であることが検出されることになる。
【００２０】
前記放熱部Ｗについて説明を加えると、前記加熱用熱交換器１１と前記放熱用端末器６とを熱媒循環路２１にて接続し、その熱媒循環路２１に熱媒循環ポンプ２２を設けて、その熱媒循環ポンプ２２を作動させることにより、前記加熱用熱交換器１１と前記放熱用端末器６とにわたって前記熱媒循環路２１を通じて熱媒を循環させて、前記放熱用端末器６にて熱媒から放熱させることにより、加熱対象を加熱する前記放熱運転を実行するように構成してある。そして、前記放熱部Ｗには、前記放熱運転の開始及び停止を指令する放熱運転操作部２３を設けてあり、その放熱運転操作部２３から運転開始が指令されると、前記熱媒循環ポンプ２２を作動させて前記放熱運転を開始し、前記放熱運転操作部２３から運転停止が指令されると、前記熱媒循環ポンプ２２を停止させて前記放熱運転を停止するように構成してある。
又、前記放熱用端末器６から流出して前記加熱用熱交換器１１に戻す熱媒戻し温度を検出する熱媒戻し温度センサＴｍを設けてある。
【００２１】
前記貯湯用循環路１２は、その両端を前記貯湯タンク５の底部と上部とに接続し、その貯湯用循環路１２の途中に、前記排熱熱源熱交換器１４を設けてある。
前記貯湯用循環路１２における前記排熱熱源熱交換器１４よりも下流側で且つ前記貯湯タンク５よりも上流側の部分に、その上流側から順に、前記加熱切換三方弁１６、前記分流量調節三方弁１８を介装してある。前記加熱切換三方弁１６及び前記分流量調節三方弁１８は、夫々、一つの流入口と二つの流出口とを備えてあり、前記流入口と前記二つの流出口の一方とを用いて、前記貯湯用循環路１２の途中に介装してある。
【００２２】
前記加熱用流路１５を構成する一部の流路部分（上流側部分）を、前記加熱切換三方弁１６の残りの流出口と前記分流量調節三方弁１８の前記流入口とに接続し、その途中に前記加熱用熱交換器１１を設け、前記加熱用流路１５を構成する残りの流路部分（下流側部分）を、前記分流量調節三方弁１８の残りの前記流出口と前記貯湯用循環路１２における前記排熱熱源熱交換器１４よりも上流側の部分とに接続し、前記貯湯用循環路１２において、前記分流量調節三方弁１８の前記流出口と前記貯湯タンク５の上部とを接続する部分を、前記タンク供給路１７としても機能させるように構成してある。
【００２３】
前記貯湯用循環路１２における前記排熱熱源熱交換器１４よりも上流側の部分において、前記加熱用流路１５との接続部分よりも下流側の箇所には、前記排熱熱源熱交換器１４に戻される湯水の温度（以下、湯水戻し温度と称する場合がある）を検出する湯水戻し温度センサＴｒを設けてある。
【００２４】
前記加熱切換三方弁１６は、前記流入口に流入する湯水の全量を前記加熱用流路１５が接続された前記流出口から流出させて前記加熱用流路１５に通流させる前記加熱状態と、前記流入口に流入する湯水の全量を前記貯湯用循環路１２が接続された前記流出口から流出させて前記加熱用流路１５には通流させない前記非加熱状態とに切り換え自在なように構成してある。
又、前記分流量調節三方弁１８は、前記流入口に流入する湯水の全量を前記貯湯用循環路１２が接続された前記流出口から流出させて前記貯湯用循環路１２に通流させる全量貯湯側通流状態と、前記流入口に流入する湯水の全量を前記加熱用流路１５が接続された前記流出口から流出させて前記加熱用流路１５に通流させる全量加熱側通流状態と、前記流入口に流入する湯水を前記二つの流出口から流出させて前記貯湯用循環路１２（即ち、前記タンク供給路１７）と前記加熱用流路１５とに分流させる分流状態とに切り換え自在なように構成し、更に、前述のように、前記分流状態において、前記タンク供給路１７と前記加熱用流路１５とに分流させる分流比を調節自在なように構成してある。
【００２５】
つまり、前記加熱切換三方弁１６を前記非加熱状態に切り換え、且つ、前記分流量調節三方弁１８を前記全量貯湯側通流状態に切り換えると、前記排熱熱源熱交換器１４にて加熱された湯水の全量を前記貯湯タンク５に貯湯する貯湯単独運転を実行することができる。
その貯湯単独運転では、図１に太実線にて示すように、貯湯タンク５の底部から取り出された湯水が、前記排熱熱源熱交換器１４にて加熱された後、その全量が前記加熱切換三方弁１６と前記分流量調節三方弁１８を通過して貯湯タンク５の上部に戻される形態で、前記貯湯タンク５の湯水が貯湯用循環路１２を通じて循環されることになり、貯湯タンク５に貯湯される。
【００２６】
又、前記加熱切換三方弁１６を前記加熱状態に切り換え、且つ、前記分流量調節三方弁１８を前記分流状態に切り換えると、前記排熱熱源熱交換器１４にて加熱された湯水の全量にて前記熱媒循環路２１を循環する熱媒を加熱し、並びに、前記排熱熱源熱交換器１４を通過した湯水の一部を前記貯湯タンク５に供給して貯湯し、残部は前記貯湯タンク５を迂回させて循環させる貯湯熱媒加熱並行運転を実行することができる。
その貯湯熱媒加熱並行運転では、図２に太実線にて示すように、前記分流量調節三方弁１８にて調節される分流比にて、前記貯湯タンク５の底部と前記加熱用流路１５とから湯水が吸引されて合流して前記貯湯用循環路１２を通流し、前記排熱熱源熱交換器１４にて加熱された後、その全量が前記加熱切換三方弁１６にて前記加熱用流路１５に通流させられて前記加熱用熱交換器１１を通過し、その加熱用熱交換器１１を通過した湯水が前記分流量調節三方弁１８にて前記分流比にて前記タンク供給路１７と前記加熱用流路１５とに分流されて、前記タンク供給路１７を通じて前記貯湯タンク５の上部に戻され、且つ、前記加熱用流路１５を通じて前記貯湯タンク５を迂回させて前記貯湯用循環路１２における前記排熱熱源熱交換器１４よりも上流側に戻されることになる。
【００２７】
前記補助加熱器１９について説明を加えると、この補助加熱器１９は、前記給湯路３を通流する湯水を加熱するための給湯用補助加熱部１９ｓと、前記熱媒循環路２１を循環する熱媒を加熱するための暖房用補助加熱部１９ｗとを備えてある。これら給湯用補助加熱部１９ｓと暖房用補助加熱部１９ｗは、加熱対象の湯水又は熱媒を通流させる熱交換器ｈ、その熱交換器ｈを加熱するガスバーナｂ、そのガスバーナｂに燃焼用空気を供給する送風機ｆ、前記熱交換器ｈに流入する湯水又は熱媒の流入温度を検出する流入温度センサ（図示省略）、前記熱交換器ｈから流出する湯水又は熱媒の流出温度を検出する流出温度センサ（図示省略）、前記熱交換器ｈに流入する湯水又は熱媒の流量を検出する流量センサ（図示省略）、燃焼制御部（図示省略）等を備えて、同様に構成してあり、又、前記各燃焼制御部により互いに独立して制御されるようになっている。
前記燃焼制御部の制御動作について簡単に説明すると、前記流量センサが設定流量以上の流量を検出している状態で、前記流入温度センサ及び前記流出温度センサの検出情報に基づいて、流入温度が設定温度（前記給湯用補助加熱部１９ｓ及び前記暖房用補助加熱部１９ｗの夫々について設定されている）未満になると、前記バーナｂを燃焼させて、前記流出温度が前記設定温度になるように前記バーナｂの燃焼量を調節し、前記燃焼量を設定最少燃焼量に調節しても前記流出温度が前記設定温度以上になるときは前記バーナｂを消火させる。又、前記バーナｂの燃焼中に、前記流量センサの検出流量が前記設定流量未満になると、前記バーナｂを消火させる。
【００２８】
前記燃料電池Ｇについて説明を加える。
図３に示すように、前記燃料電池Ｇは、水素を含有する燃料ガス及び酸素含有ガスが供給されて発電するセルスタック３０、そのセルスタック３０に供給する燃料ガスを生成する燃料ガス生成部Ｒ、前記セルスタック３０に酸素含有ガスとして空気を供給するブロア３１、前記セルスタック３０を冷却する冷却水を冷却水循環路３２を通じて循環させる冷却水循環ポンプ３３、前記セルスタック３０から排出される燃料極側排ガスの保有熱を前記冷却水循環路３２を通流する冷却水に回収する第１排熱回収用熱交換器３４、前記セルスタック３０から排出される酸素極側排ガスの保有熱と前記燃料ガス生成部Ｒから排出される燃焼排ガスの保有熱とを前記冷却水循環路３２を通流する冷却水に回収する第２排熱回収用熱交換器３５、及び、前記燃料電池Ｇの各種制御を司る燃料電池制御部３６等を備えて構成してある。
【００２９】
以下、燃料電池Ｇを構成する各部について説明を加える。
前記セルスタック３０は周知であるので、詳細な説明及び図示は省略して、簡単に説明すると、前記セルスタック３０は、電解質層としての高分子膜の両側に酸素極と燃料極を振り分けて配置した固体高分子型のセルの複数を積層状態に設けて構成し、並びに、供給される燃料ガスが各セルの燃料極に分配供給され且つ供給される反応用空気が各セルの酸素極に分配供給されるように構成して、各セルにて水素と酸素との電気化学的な反応により発電を行うように構成してある。
【００３０】
前記燃料ガス生成部Ｒは、供給される都市ガス（例えば、天然ガスベースの都市ガス）等の炭化水素系の原燃料ガスを脱硫処理する脱硫器３７、その脱硫器３７から供給される脱硫原燃料ガスと水蒸気生成器（図示省略）から供給される水蒸気とを改質用バーナ３８ｂの加熱により改質反応させて、水素を主成分とする改質ガスを生成する改質器３８、その改質器３８から供給される改質ガス中の一酸化炭素を水蒸気にて二酸化炭素に変成処理する変成器３９、その変成器３９から供給される改質ガス中の一酸化炭素を別途供給される選択酸化用空気にて選択酸化する一酸化炭素除去器４０等を備えて構成して、改質ガス中の一酸化炭素を変成処理及び選択酸化処理により低減した一酸化炭素濃度の低い（例えば１０ｐｐｍ以下）改質ガスを生成するように構成してある。
そして、一酸化炭素を変成処理及び選択酸化処理により低減した改質ガスを、前記燃料ガスとして前記セルスタック３０に供給するようにしてある。
前記脱硫器３７への原燃料ガスの供給を断続し、更に、その供給量を調節する原料ガス調節弁４３を設けてあり、この原料ガス調節弁４３により原燃料ガスの供給量を調節することにより、前記セルスタック３０への燃料ガスの供給量を調節して、前記セルスタック３０の出力電力を調節する。
【００３１】
前記セルスタック３０の各セルの前記燃料極から排出される燃料極側排ガスを、燃料極側排ガス路４１を通じて、前記第１排熱回収用熱交換器３４を通過させた後、前記改質用バーナ３８ｂに供給し、又、前記ブロア３１にて燃焼用空気を前記改質用バーナ３８ｂに供給して、その改質用バーナ３８ｂにて燃料極側排ガスを燃焼させて、改質器３８を改質反応が可能なように加熱するようにしてある。
前記セルスタック３０の各セルの酸素極から排出される酸素極排ガスと前記改質用バーナ３８ｂから排出される燃焼排ガスとを混合させて、その混合排ガスを前記第２排熱回収用熱交換器３５を通過させた後、装置外部に排出するように、混合排ガス路４２を前記改質用バーナ３８ｂ、前記セルスタック３０及び前記第２排熱回収用熱交換器３５に接続してある。
【００３２】
そして、図１にも示すように、前記冷却水循環路３２は、前記セルスタック３０を冷却して前記セルスタック３０から排出される冷却水を、前記排熱熱源熱交換器１４、前記第２排熱回収用熱交換器３５、前記第１排熱回収用熱交換器３４の順に通流させて、前記セルスタック３０に戻すように設け、前記燃料電池Ｇから発生する熱として、前記燃焼排ガス、前記酸素極側排ガス及び前記燃料極側排ガス夫々の保有熱、並びに、前記セルスタック３０から発生する発電反応熱を冷却水に回収させ、その冷却水を前記排熱熱源熱交換器１４に通流させて、その排熱熱源熱交換器１４において、前記燃料電池Ｇから発生する熱を回収した冷却水と前記貯湯用循環路１２を通流する湯水とを熱交換させて、前記冷却水を冷却すると共に前記湯水を加熱するように構成してある。
【００３３】
又、前記冷却水循環路３２において、前記排熱熱源熱交換器１４よりも下流側で前記第２排熱回収熱交換器３５よりも上流側の箇所には、通流する冷却水を冷却するラジエータ４４を設けてある。
更に、前記セルスタック３０から排出されて前記冷却水循環路３２を通流する冷却水の温度を検出する冷却水温度センサＴｗ、及び、前記排熱熱源熱交換器１４にて加熱されて前記貯湯用循環路１２を通流する湯水の温度を検出するタンク供給温度センサＴｅを設けてある。
【００３４】
次に、前記燃料電池制御部３６について説明を加える。
前記燃料電池制御部３６は、図示しない燃料電池操作部から運転開始が指令されると、前記原燃料ガス調節弁４３を開弁して前記燃料ガス生成部Ｒへ原燃料ガスを供給し、且つ、前記ブロア３１を作動させて、前記燃料電池Ｇの運転を開始し、前記燃料電池操作部から運転の停止が指令されると、前記原燃料ガス調節弁４３を閉弁して前記燃料ガス生成部Ｒへの原燃料ガスの供給を停止し、且つ、前記ブロア３１を停止させて、前記燃料電池Ｇの運転を停止する。
そして、前記燃料電池制御部３６は、前記燃料電池Ｇの運転中は、電気負荷に応じて前記燃料ガス生成部Ｒへの原燃料ガスの供給量を調節するように前記原燃料ガス調節弁４３の開度を調節し、前記冷却水温度センサＴｗの検出温度が設定冷却水温度になるように冷却水循環量を調節すべく前記冷却水循環ポンプ３３の作動を制御し、且つ、前記タンク供給温度センサＴｅの検出温度が設定湯水供給温度になるように湯水循環量を調節すべく前記貯湯用循環ポンプ１３を制御するように構成してある。
又、前記燃料電池制御部３６は、前記冷却水循環流量を設定最大流量に調節した状態で、前記冷却水温度センサＴｗの検出温度が前記設定冷却水温度を越えるときは、前記ラジエータ４４のラジエータファン４４ｆを作動させて前記ラジエータ４４を放熱作動させ、前記検出温度が前記設定冷却水温度になるように、前記ラジエータファン４４ｆの作動を制御するように構成してある。
【００３５】
つまり、前記排熱利用加熱部Ｈは、前記貯湯用循環ポンプ１３、前記排熱熱源熱交換器１４に加えて、前記タンク供給温度センサＴｅ及び前記燃料電池制御部３６を備えて構成し、更に、その排熱利用加熱部Ｈは、排熱熱源熱交換器１４にて加熱される湯水の温度が前記設定湯水供給温度になるように前記貯湯用循環ポンプ１３による湯水循環量が調節されるように構成してある。ちなみに、前記設定湯水供給温度としては、例えば６５°Ｃに設定する。
【００３６】
以下、前記熱源制御部２０の制御動作について説明を加える。
前記熱源制御部２０及び前記燃料電池制御部３６は、互いに制御情報の通信が可能なように構成してあり、前記熱源制御部２０には、前記燃料電池制御部３６から前記燃料電池Ｇが運転中か否かを示す信号が通信されるようになっている。
そして、前記熱源制御部２０は、前記燃料電池制御部３６から前記燃料電池Ｇが運転中であることを示す信号が送信されている間は、前記放熱部Ｗの停止中は前記加熱切換三方弁１６を前記非加熱状態にし且つ前記分流量調節三方弁１８を前記全量貯湯側通流状態にする貯湯単独運転にて運転し、且つ、前記放熱部Ｗの運転中は、前記加熱切換三方弁１６を前記加熱状態にし且つ前記分流量調節三方弁１８を前記分流状態にした状態で、湯水戻し温度センサＴｒの検出温度が設定湯水戻し温度になるよう前記分流比を調節する貯湯熱媒加熱並行運転にて運転する運転切換制御を実行するように構成してある。
ちなみに、前記設定湯水戻し温度としては、前記排熱熱源熱交換器１４での前記冷却水と前記湯水との熱交換により前記冷却水を許容上限温度以下にまで冷却可能な前記湯水の温度に設定し、例えば、４０°Ｃ程度に設定する。
【００３７】
前記運転切換制御について説明を加える。
前記熱源制御部２０は、前記熱媒戻し温度センサＴｍにて検出される熱媒戻し温度に基づいて、その熱媒戻し温度が設定熱媒戻し温度以下のときは前記放熱部Ｗが停止中であると判別し、前記熱媒戻し温度が前記設定熱媒戻し温度よりも高くなると前記放熱部Ｗが放熱運転中であると判別するように構成してある。
つまり、前記放熱運転操作部２３から運転開始が指令されて、前記熱媒循環ポンプ２２が作動して前記熱媒循環路２１を熱媒が循環すると、その熱媒の温度が熱媒用の前記設定温度よりも低いときは、熱媒が前記補助加熱器１９の前記暖房用補助加熱部１９ｗにて前記熱媒用の設定温度に加熱されて、前記熱媒戻し温度センサＴｍの検出温度が前記設定熱媒戻し温度よりも高くなり、前記放熱部Ｗの運転が開始されたことが判別される。又、前記放熱運転操作部２３から運転停止が指令されて、前記熱媒循環ポンプ２２が停止して前記熱媒循環路２１の熱媒の循環が停止すると、熱媒の温度が低下して、前記熱媒戻し温度センサＴｍの検出温度が前記設定熱媒戻し温度以下となり、前記放熱部Ｗの運転が停止されたことが判別される。
【００３８】
そして、前記熱源制御部２０は、前記熱媒戻し温度センサＴｍにて検出される熱媒戻し温度が前記設定熱媒戻し温度以下で前記放熱部Ｗが停止中であると判別している間は、前記加熱切換三方弁１６を前記非加熱状態にし且つ前記分流量調節三方弁１８を前記全量貯湯側通流状態にする貯湯単独運転にて運転し、その貯湯単独運転中に、前記熱媒戻し温度センサＴｍにて検出される熱媒戻し温度が前記設定熱媒戻し温度よりも高くなって、前記放熱部Ｗの放熱運転が開始されたと判別すると、前記加熱切換三方弁１６を前記加熱状態に切り換え、且つ、前記分流量調節三方弁１８を前記加熱用流路１５への分流量が設定最少量となる前記分流状態に切り換えて、前記貯湯単独運転から前記貯湯熱媒加熱並行運転に切り換え、以降、前記湯水戻し温度センサＴｒの検出温度が前記設定湯水戻し温度になるまで前記加熱用流路１５への分流量を増加させるべく前記分流量調節三方弁１８を制御し、前記湯水戻し温度センサＴｒの検出温度が前記設定湯水戻し温度になると、前記湯水戻し温度センサＴｒの検出温度を前記設定湯水戻し温度に維持するように前記分流量調節三方弁１８を制御して、前記貯湯熱媒加熱並行運転を継続する。ちなみに、前述のように、前記加熱用流路１５への分流量を前記設定最少量から、前記湯水戻し温度センサＴｒの検出温度が前記設定湯水戻し温度になるまで増加させるように、前記熱源制御部２０により前記分流量調節三方弁１８を制御するに当たっては、分流量変更用設定時間（例えば１分間）が経過する毎に、前記加熱用流路１５への分流量を設定量ずつ増加させるように前記分流量調節三方弁１８を制御するようにして、前記加熱用流路１５への分流量を漸増させるように構成してある。つまり、前記排熱熱源熱交換器１４に戻される湯水の温度が急激に高くなると、前記排熱熱源熱交換器１４での前記燃料電池Ｇの冷却水の冷却が不十分となって前記燃料電池Ｇの運転が不安定になる虞があるので、前記加熱用流路１５への分流量を漸増させて、前記排熱熱源熱交換器１４に戻される湯水の温度が徐々に高くなるようにして、前記燃料電池Ｇの運転が不安定になるのを回避するようにしてある。
【００３９】
前記熱源制御部２０は、前記貯湯熱媒加熱並行運転中に、前記熱媒戻し温度センサＴｍにて検出される熱媒戻し温度が前記設定熱媒戻し温度以下になって、前記放熱部Ｗの放熱運転が停止されたと判別すると、前記加熱切換三方弁１６を前記非加熱状態に切り換え、且つ、前記分流量調節三方弁１８を前記全量貯湯側通流状態に切り換えて、貯湯熱媒加熱並行運転から前記貯湯単独運転に切り換える。
【００４０】
〔別実施形態〕
次に別実施形態を説明する。
（イ）  上記の実施形態においては、前記貯湯用循環路１２における前記貯湯タンク５の上部に接続される端部側の部分を前記タンク供給路１７としても機能させるようにする場合について例示したが、前記タンク供給路１７を前記貯湯用循環路１２とは別個に設けても良い。この場合、前記分流量調節三方弁１８を前記加熱用流路１５における前記加熱用熱交換器１１よりも下流側の部分の途中に設け、前記タンク供給路１７を、前記分流量調節三方弁１８と前記貯湯タンク５の上部とに接続して設けることになる。
【００４１】
（ロ）  前記熱源制御部２０を前記放熱部Ｗの放熱運転の開始及び停止を判別するように構成するに、上記の実施形態においては、前記熱媒戻し温度センサＴｍにて検出される熱媒戻し温度に基づいて判別するように構成したが、前記放熱運転操作部２３からの運転開始指令に基づいて前記放熱部Ｗの放熱運転が開始されたことを判別し、前記放熱運転操作部２３からの停止指令に基づいて前記放熱部Ｗの放熱運転が停止されたことを判別するように構成しても良い。
【００４２】
（ハ）  上記の実施形態においては、前記排熱熱源熱交換器１４にて湯水を前記設定湯水供給温度に加熱するように湯水循環量を調節するための前記貯湯用循環ポンプ１３の制御を、前記燃料電池制御部３６に行わせるように構成したが、前記熱源制御部２０に行わせるように構成しても良い。この場合は、前記排熱利用加熱部Ｈは、前記貯湯用循環ポンプ１３、前記排熱熱源熱交換器１４、前記タンク供給温度センサＴｅ及び前記熱源制御部２０にて構成することになる。
【００４３】
（ニ）  上記の実施形態においては、前記排熱利用加熱部Ｈを、前記排熱熱源熱交換器１４にて加熱される湯水の温度が前記設定湯水供給温度になるように前記貯湯用循環ポンプ１３による湯水循環量が調節されるように構成する場合について例示したが、前記貯湯用循環ポンプ１３を湯水循環量が所定の一定循環量になるように作動させるように構成しても良い。但し、この構成は、前記燃料電池Ｇが連続して定格出力電力にて運転されて、その燃料電池Ｇから発生する熱量が略一定である場合に適用するのが好ましい。
【００４４】
（ホ）  前記加熱状態と前記非加熱状態とに切り換え自在な前記加熱切換手段の具体構成として、上記の実施形態において例示した加熱切換三方弁１６に代えて、前記貯湯用循環路１２における前記加熱用流路１５の接続箇所よりも下流側を開閉する電磁弁と、前記加熱用流路１５を開閉する電磁弁との二つの電磁弁にて構成しても良い。
【００４５】
（ヘ）  上記の実施形態において、前記加熱切換三方弁１６を、前記加熱状態及び前記非加熱状態に加えて、前記流入口に流入する湯水を前記貯湯用循環路１２と前記加熱用流路１５とに分流させて流出させる分流状態に切り換え自在に構成して、前記放熱部Ｗの運転中に、前記放熱部Ｗの熱負荷が設定熱負荷よりも小さくなると、前記加熱切換三方弁１６を前記分流状態にし且つ前記分流量調節三方弁１８を前記分流状態にした状態で、湯水戻し温度センサＴｒの検出温度が設定湯水戻し温度になるよう前記分流量調節三方弁１８の分流比を調節する形態にて貯湯熱媒加熱並行運転を実行する構成を追加しても良い。
【００４６】
（ト）  上記の実施形態において、前記分流量調節三方弁１８の設置箇所は、前記貯湯用循環路１２における前記排熱熱源熱交換器１４よりも上流側の部分と前記加熱用流路１５との接続部分に変更可能である。
【００４７】
（チ）  前記放熱部Ｗを構成する前記放熱用端末器６の具体例としては、上記の実施形態において例示した床暖房パネルに限定されるものではなく、浴室乾燥機、暖房用のファンコイルユニット等、種々のものを適用することが可能である。
【００４８】
（リ）  前記排熱熱源熱交換器１４にて前記湯水に回収させる前記燃料電池Ｇの発生熱としては、上記の各実施形態において例示した如き、前記燃焼排ガス、前記酸素極側排ガス及び前記燃料極側排ガス夫々の保有熱、並びに、前記セルスタック３０から発生する発電反応熱に限定されるものではない。
例えば、前記燃焼排ガス、前記酸素極側排ガス及び前記燃料極側排ガス夫々の保有熱のうち、いずれか一つ、いずれか二つ、又は、全てを除いても良い。
又、前記変成器３９から前記一酸化炭素除去器４０に供給される変成処理後の改質ガスの保有熱や、前記燃料ガス生成部Ｒから前記セルスタッ３０に供給される燃料ガスの保有熱を用いることが可能である。
【００４９】
（ヌ）  前記排熱発生式の処理装置の具体例として、上記の実施形態のように燃料電池Ｇを適用する場合、その型式は上記の実施形態において例示した固体高分子型に限定されるものではなく、リン酸型や固体電解質型等の種々の型式のものを用いることが可能である。
又、前記排熱発生式の処理装置の具体例としては、前記燃料電池Ｇ以外に、ガスエンジンやガソリンエンジン等により発電機を駆動するように構成した回転式の発電装置や、ガスエンジンやガソリンエンジン等によりコンプレッサを駆動するようにしたエンジン駆動式のヒートポンプ装置を適用することが可能であり、これらの場合、エンジンの冷却水から排熱を回収することになる。
【図面の簡単な説明】
【００５０】
【図１】実施形態にかかる排熱利用熱源装置を備えたコージェネレーションシステムの構成、及び、貯湯単独運転での湯水の流れを示すブロック図
【図２】実施形態にかかる排熱利用熱源装置を備えたコージェネレーションシステムの貯湯熱媒加熱並行運転での湯水の流れを示すブロック図
【図３】燃料電池の構成を示すブロック図
【符号の説明】
【００５１】
３    給湯路
４    給水路
５    貯湯タンク
６    放熱用端末器
１１  加熱用熱交換器
１２  貯湯用循環路
１３  貯湯用循環手段
１４  排熱熱源加熱手段
１５  加熱用流路
１６  加熱切換手段
１７  タンク供給路
１８  分流量調節手段
２０  制御手段
Ｇ    排熱発生式の処理装置
Ｈ    排熱利用加熱部
Ｗ    放熱手段
【図１】
2005055033.tif 000003
【図２】
2005055033.tif 000004
【図３】
2005055033.tif 000005